(57)【要約】【課題】単一の有害生物防除装置を使用者が要望する使用条件に合致させて使用できる安価な有害生物防除システムを提供すること。【解決手段】有害生物防除システム１は、コンピュータ２と、有害生物防除装置３と、コンピュータ２および有害生物防除装置３を電気的に接続する通信ケーブル４と、を備えている。有害生物防除装置３は、通信ケーブル４を介してコンピュータ２から指令信号を受け、当該指令信号に従って薬剤を拡散する。【選択図】      図１
2004344045.tif 000002
【特許請求の範囲】
【請求項１】
演算処理装置、処理プログラムを記憶した記憶装置、操作部、およびインタフェースを具備し、前記操作部を操作することにより入力された条件を前記処理プログラムに従って前記演算処理装置で処理し、その処理結果を指令信号として前記インタフェースを介して出力するコンピュータと、
前記コンピュータの前記インタフェースに一端が接続された通信ケーブルと、前記通信ケーブルの他端が接続され、前記コンピュータからの前記指令信号に従って薬剤を拡散させる有害生物防除装置と、
を備えていることを特徴とする有害生物防除システム。
【請求項２】
前記有害生物防除装置が、薬剤拡散手段と、当該薬剤拡散手段を駆動する駆動回路と、前記通信ケーブルの他端に接続されるインタフェースと、を備え、当該インタフェースを介して前記指令信号を受けて前記駆動回路が前記薬剤拡散手段を駆動し、前記薬剤を拡散させることを特徴とする請求項１に記載した有害生物防除システム。
【請求項３】
前記薬剤拡散手段が、前記薬剤を加熱して蒸散させる加熱器であることを特徴とする請求項２に記載した有害生物防除システム。
【請求項４】
前記薬剤拡散手段が、前記薬剤に気流を当てて揮散させる送風器であることを特徴とする請求項２に記載した有害生物防除システム。
【請求項５】
前記薬剤拡散手段が、前記薬剤を霧状にして噴霧する噴霧器であることを特徴とする請求項２に記載した有害生物防除システム。
【発明の詳細な説明】
【０００１】
【発明の属する技術分野】
本発明は、有害な、虫，菌，等の生物を防除するための有害生物防除システムに関する。
【０００２】
【従来の技術】
蚊等の害虫を駆除するために殺虫剤等の薬剤を拡散する有害生物防除装置として、吸液芯に吸い上げられた薬剤をヒーターで加熱して当該薬剤の害虫防除成分等を蒸散させる加熱蒸散装置（例えば、特許文献１参照）や、害虫防除成分等を保持した薬剤保持体に気流を当てて当該害虫防除成分を揮散させるようにした薬剤揮散装置（例えば、特許文献２参照）は従来から知られている。
【０００３】
【特許文献１】
特開２０００−８３５５４号公報（第２頁、第９図）
【特許文献２】
特開２００２−２０９５００号公報（第５〜６頁、第１図）
【０００４】
図７は、特許文献１で開示されている従来の加熱蒸散装置の概略断面図である。図７に示されるように、加熱蒸散装置５０は、上部筺体５２および下部筺体５３を、嵌着または接着等により組み合せてなる筺体５１を有し、筺体５１内に液体容器６０を収容できるようになっている。液体容器６０内には、殺虫成分等の害虫防除成分を含む液体が収容されている。有底筒状の液体容器６０には、液体容器６０内の液体を吸い上げ可能な吸液芯６１が、その一端を液体容器６０の小径部６０ａから外部に露出するように突出させ、そしてその他端を液体に浸漬させて、取付けられている。液体容器６０は、下部筺体５３の底部側に開放して設けられた装着孔から筺体５１内に装着される。
【０００５】
筺体５１内には、液体容器６０の小径部６０ａを係止する位置決め部材５４が設けられており、位置決め部材５４には、電気ヒーター等の加熱器（即ち、発熱体）５５がネジ５６により固定されている。位置決め部材５４および加熱手段５５にはそれぞれ貫通孔が設けられており、液体容器６０を筺体５１内に装着した際には、液体容器６０から突出する吸液芯６１がそれらの貫通孔を貫通して装着される。その状態で、吸液芯６１の一端の近傍に配設された加熱手段５５により吸液芯６１を熱することで、吸液芯６１に吸い上げられた液体容器６０内の液体が蒸散されて気体となる。
【０００６】
筺体５１内には、光源５７が光源固定部材５８によって適宜の位置に固定されている。また、筺体５１の外壁には、電源コード６２、当該電源コード６２からの加熱手段５５や光源５７への通電を許可／非許可する（即ち、加熱蒸散装置５０を動作状態または非動作状態にする）スイッチ６３、光源５７の光を受光および透過して加熱蒸散装置５０の動作状態および非動作状態を外部に表示する透明な受光部材６４、液体容器６０内の残液量を外部から確認するための窓６５、等が設けられている。そして筺体５１外壁の図中上方には、吸液芯６１から蒸散された気体を外部に放出するための蒸散孔６６が設けられている。蒸散孔６６は、蒸散された気体が望ましくは蒸散孔６６の開口周辺に当たることなく外部に放出されるように、吸液芯６１の断面面積より広い開口面積を有している。
【０００７】
一方、特許文献２に開示されている薬剤揮散装置は、害虫防除成分等を保持した薬剤保持体をチャンバ内に支持し、当該チャンバ内において吸気口と排気口との間に配置され且つモーターにより回転駆動されるファン（送風器）により生起される気流を薬剤保持体に当てて、害虫防除成分等をチャンバ外に揮散させるものである。
【０００８】
【発明が解決しようとする課題】
加熱蒸散装置、薬剤揮散装置、等といった有害生物防除装置は、一般に、その製造者（メーカー）が予め想定した使用条件（使用環境）、例えば、使用空間の広さ、使用空間の温度、使用空間の湿度、使用空間の密閉度、駆除対象害虫の量、駆除対象害虫の種類、等に基づいて設計されており、使用者（ユーザー）には、製造者が予め量や濃度を定めて製品化している薬剤（例えば、６畳用薬剤、１０畳用薬剤、３０日用薬剤、６０日用薬剤、９０日用薬剤、等）を選択する他に有害生物防除装置の動作状態または非動作状態のいずれかを選択する以外選択枝がなく、使用者が、任意の（換言すれば、使用者好みの）使用条件に合致したものを得ることは難しい。
【０００９】
そこで製造者が、想定される使用条件をより細分化し、それら細分化された使用条件に応じて複数種の有害生物防除装置ならびに当該有害生物防除装置用の複数種の薬剤を製品化すれば、それら有害生物防除装置および当該有害生物防除装置用の薬剤の組み合わせのうち少なくとも１つの組み合わせは使用者が要望する使用条件のものに限りなく近づけることができるであろうが、組み合せる種類が極端に多くなることから使用者に選択の迷いを与えることとなり、使用者が適切に選択できない可能性がある。また、使用者が要望する使用条件は一つとは限らないため、多様な使用条件を使用者が要望する場合、それぞれの使用条件に応じて使用者は有害生物防除装置および当該有害生物防除装置用の薬剤を複数種購入せねばならず、費用がかかってしまう。その上、製品の種類が多くなればなる程、製造コストが上昇するため、製品単価の上昇も避けられない。
【００１０】
本発明は、前述した事情に鑑みてなされたものであり、その目的は、単一の有害生物防除装置を使用者が要望する使用条件に合致させて使用できる安価な有害生物防除システムを提供することにある。
【００１１】
【課題を解決するための手段】
前述した目的を達成するために、本発明に係る有害生物防除システムは、請求項１に記載したように、
演算処理装置、処理プログラムを記憶した記憶装置、操作部、およびインタフェースを具備し、前記操作部を操作することにより入力された条件を前記処理プログラムに従って前記演算処理装置で処理し、その処理結果を指令信号として前記インタフェースを介して出力するコンピュータと、
前記コンピュータの前記インタフェースに一端が接続された通信ケーブルと、
前記通信ケーブルの他端が接続され、前記コンピュータからの前記指令信号に従って薬剤を拡散させる有害生物防除装置と、
を備えていることを特徴としている。
【００１２】
請求項１に記載の発明によれば、薬剤を拡散させる有害生物防除装置が、通信ケーブルによってコンピュータと接続され、該コンピュータからの指令信号に従って動作するように構成されているので、使用者は有害生物防除装置の使用条件をコンピュータの操作部を操作することにより任意に設定することができる。即ち、この有害生物防除システムでは、単一の有害生物防除装置を使用者が要望する使用条件に合致させて使用できる。従って、使用者は、有害生物防除装置の動作時間、有害生物防除装置の動作・休止サイクル、薬剤成分の拡散量、等を自由に設定できるので、使用者の要望通りに有害生物防除装置に薬剤を拡散させることができる。
【００１３】
また、本発明に係る有害生物防除システムは、請求項２に記載したように、請求項１に記載の有害生物防除システムにおいて、
前記有害生物防除装置が、薬剤拡散手段と、当該薬剤拡散手段を駆動する駆動回路と、前記通信ケーブルの他端に接続されるインタフェースと、を備え、当該インタフェースを介して前記指令信号を受けて前記駆動回路が前記薬剤拡散手段を駆動し、前記薬剤を拡散させることを特徴としている。
【００１４】
請求項２に記載の発明によれば、有害生物防除装置が、薬剤拡散手段と、当該薬剤拡散手段を駆動する駆動回路と、通信ケーブルの他端に接続されるインタフェースと、を備え、当該インタフェースを介してコンピュータから指令信号を受けて駆動回路が薬剤拡散手段を駆動し、それにより薬剤を拡散させるように構成されているので、有害生物防除装置を必要最小限の部品から構成した簡単な構造にすることができ、有害生物防除装置を安価に製作することができる。従って、万一、有害生物防除装置が故障する等して交換を要する場合にも、使用者の負担を軽減させることができる。また、簡単な機構の有害生物防除装置を、多様な動作モードで動作させ、有効に薬剤を拡散させることができる。
【００１５】
また、本発明に係る有害生物防除システムは、請求項３に記載したように、請求項２に記載の有害生物防除システムにおいて、
前記薬剤拡散手段が、前記薬剤を加熱して蒸散させる加熱器であることを特徴としている。
【００１６】
請求項３に記載の発明によれば、薬剤拡散手段が薬剤を加熱して蒸散させる加熱器である場合は、使用者の要望通りに有害生物防除装置に薬剤を蒸散させることができる。
【００１７】
また、本発明に係る有害生物防除システムは、請求項４に記載したように、請求項２に記載の有害生物防除システムにおいて、
前記薬剤拡散手段が、前記薬剤に気流を当てて揮散させる送風器であることを特徴としている。
【００１８】
請求項４に記載の発明によれば、薬剤拡散手段が薬剤に気流を当てて揮散させる送風器である場合は、使用者の要望通りに有害生物防除装置に薬剤を揮散させることができる。
【００１９】
また、本発明に係る有害生物防除システムは、請求項５に記載したように、請求項２に記載の有害生物防除システムにおいて、
前記薬剤拡散手段が、前記薬剤を霧状にして噴霧する噴霧器であることを特徴としている。
【００２０】
請求項５に記載の発明によれば、薬剤拡散手段が薬剤を霧状にして噴霧する噴霧器である場合は、使用者の要望通りに有害生物防除装置に薬剤を噴霧させることができる。
【００２１】
以上、本発明について簡潔に説明した。更に、以下に説明される発明の実施の形態を添付の図面を参照して通読することにより、本発明の詳細は更に明確化されるであろう。
【００２２】
【発明の実施の形態】
以下、本発明に係る複数の好適な実施形態を図面に基づいて詳細に説明する。
【００２３】
先ず、本発明に係る有害生物防除システムの各実施形態に共通する基本構成を図１および図２を参照して説明する。図１は本発明の有害生物防除システムの概略構成図、そして図２はコンピュータおよび有害生物防除装置の構成を示すシステムブロック図である。
【００２４】
図１および図２に示されるように、本発明の有害生物防除システム１は、コンピュータ２と、有害生物防除装置３と、コンピュータ２と有害生物防除装置３とを電気的に接続する通信ケーブル４と、を備えている。各実施形態において共通して用いられるコンピュータ２は、各実施形態の有害生物防除装置３と組み合わせて使用するとき、必要に応じて処理プログラムを変更して夫々の有害生物防除装置３の特性に適合した制御を行なう。
【００２５】
コンピュータ２は、中央演算処理装置であるＣＰＵ（即ち、Ｃｅｎｔｒａｌ  Ｐｒｏｃｅｓｓｉｎｇ  Ｕｎｉｔ）１１と、ＲＯＭ（即ち、Ｒｅａｄ  Ｏｎｌｙ  Ｍｅｍｏｒｙ）およびＲＡＭ（即ち、Ｒａｎｄｏｍ  Ａｃｃｅｓｓ  Ｍｅｍｏｒｙ）等からなる記憶装置１２と、キーボード、マウス、等の操作部１３と、ＣＲＴ（即ち、Ｃａｔｈｏｄｅ  Ｒａｙ  Ｔｕｂｅ）またはＬＣＤ（即ち、Ｌｉｑｕｉｄ  Ｃｒｙｓｔａｌ  Ｄｉｓｐｌａｙ）等からなる表示装置１４と、インタフェース（Ｉ／Ｆ）１５と、を備えた公知の構成のパーソナルコンピュータである。
【００２６】
ＲＯＭとしては、例えば、半導体メモリー等の半導体記録媒体、ＤＶＤ−ＲＯＭ（即ち、Ｄｉｇｉｔａｌ  Ｖｅｒｓａｔｉｌｅ  Ｄｉｓｋ  ＲＯＭ）、ＣＤ−ＲＯＭ（即ち、Ｃｏｍｐａｃｔ  Ｄｉｓｃ  ＲＯＭ）、等の光記録媒体、ハードディスク（ＨＤ）、フロッピィーディスク（ＦＤ）、等の磁気記録媒体、ＭＯ（即ち、Ｍａｇｎｅｔｏ  Ｏｐｔｉｃａｌ  Ｄｉｓｋ）等の光磁気記録媒体、等が例示される。コンピュータ２には、採用された記録媒体に応じて、該記録媒体に記録されたデータを読み出し可能な読出し装置が配設されている。
【００２７】
ＲＡＭとしては、記録内容を随時書き換え可能な記録媒体、例えば、不揮発性ＲＡＭ等の半導体記録媒体等が例示される。コンピュータ２には、ＲＡＭとして採用された記録媒体に応じて、該記録媒体にデータを書き込み、または記録されたデータを読み出し可能な記録／読出し装置が配設されている。
【００２８】
インタフェース１５は、通信ケーブル４を介してコンピュータ２から有害生物防除装置３へ、または有害生物防除装置３からコンピュータ２へ、制御信号や各種データの送受信を行なうためのものであって、例えば、シリアルインタフェース、パラレルインタフェース、ＵＳＢ（即ち、Ｕｎｉｖｅｒｓａｌ  Ｓｅｒｉａｌ  Ｂｕｓ）インタフェース、ＩＥＥＥ１３９４インタフェース、光通信用インタフェース、等を用いることができる。
【００２９】
コンピュータ２は、使用者が操作部１３を操作することにより入力した条件（即ち、入力情報）をＲＯＭに記録されている処理プログラムに従ってＣＰＵ１１で演算処理し、その処理結果を制御信号（指令信号）等としてインタフェース１５から出力し、通信ケーブル４を介して有害生物防除装置３へ送信する。尚、薬剤の残量を検出するセンサ（不図示）を有害生物防除装置３に設けて、当該センサ（不図示）からの検出信号や各種データ等を通信ケーブル４を介してインタフェース１５で受信し、処理プログラムに従ってＣＰＵ１１で演算処理する形態を採ってもよい。
【００３０】
図１に示されるように、コンピュータ２は、外部のプロバイダ（換言すれば、インターネット）５とネットワークケーブル６で接続してもよい。この場合、プロバイダ５に接続された他のコンピュータ８を操作することにより、コンピュータ２を遠方から動作させて制御信号等をインタフェース１５から出力させ、通信ケーブル４を介して有害生物防除装置３に送信することができる。また、電話回線や光ケーブル７によってプロバイダ５に接続されている基地局９に携帯電話機１０から指示送信することによって基地局９を介してコンピュータ２を動作させて制御信号等を有害生物防除装置３に送信することも可能である。これによって、家庭、工場、病院、事務所、倉庫、或いは飲食店、等に有害生物防除装置３を設置しておき、遠く離れた場所から有害生物防除装置３を遠隔操作することができる。
【００３１】
また、図２に示されるように、有害生物防除装置３は、薬剤を保持するための薬剤保持機構１６と、薬剤拡散手段１７と、駆動回路１８と、インタフェース１９と、を備えている。
【００３２】
インタフェース１９は、コンピュータ２に配設されたインタフェース１５と同一規格のものであり、例えばシリアルインタフェース、パラレルインタフェース、ＵＳＢインタフェース、ＩＥＥＥ１３９４インタフェース、光通信用インタフェース、等のインタフェースである。インタフェース１９は、通信ケーブル４を介してコンピュータ２のインタフェース１５に接続されており、通信ケーブル４を通じてコンピュータ２との間で制御信号や各種データの通信を行なうようになっている。尚、通信ケーブル４がインタフェース１５ならびにインタフェース１９の規格に対応（即ち、準拠）したものであることは言うまでもない。
【００３３】
尚、上述のように有害生物防除装置３に薬剤の残量を検出するセンサ（不図示）を配置し、該センサ（不図示）から薬剤の残量の情報を通信ケーブル４を介してコンピュータ２に送信し、コンピュータ２が薬剤の残量の情報を表示装置１４に画像表示する形態を採れば、有害生物防除装置３自体若しくは薬剤（薬剤保持機構１６）の交換時期を精度よく且つ確実に使用者に知らせることができる。また、物理的に有害生物を防除する装置である場合には、適宜のセンサを備えることによって、薬剤量に代えて死虫数、捕獲数、空気中の菌の数、等を使用者に知らせるようにすることもできる。
【００３４】
その他、この有害生物防除装置３については、以下第１実施形態〜第３実施形態において詳述する。
【００３５】
（第１実施形態）
図３は上述した有害生物防除システム１の第１実施形態における有害生物防除装置（加熱蒸散装置）の縦断面図である。図３に示されるように、上述した有害生物防除装置３に該当する加熱蒸散装置２０は、コンピュータ２からの制御信号に従って薬剤を拡散（蒸散）させるためのものであって、薬剤保持機構１６として液体容器６０、薬剤拡散手段１７として加熱器である電気ヒーター５５、駆動回路１８およびインタフェース１９を具備している。
【００３６】
液体容器６０内には、薬剤として殺虫成分等の有害生物防除成分を含む液体が収容され、吸液芯６１の一端が該液体に浸漬されている。吸液芯６１の他端は電気ヒーター５５の近傍に配置されており、電気ヒーター５５を通電すると吸液芯６１が加熱され、吸液芯６１に吸い上げられた液体が蒸散されて有害生物防除成分を含んだ気体となり蒸散孔６６から外部に放出される。
【００３７】
電気ヒーター５５には、当該電気ヒーター５５に供給する電圧、連続／断続通電時間、等を制御して加熱温度を調整する駆動回路１８およびインタフェース１９が電気的に接続されている。電気ヒーター５５としては、放熱リング内に複数個のヒーター素子が配置されたもの、或いはヒーター素子が片面または両面に配置されたもの、等が例示できる。
【００３８】
その他の構成要素については、既に説明した図７に示される従来の加熱蒸散装置の構成要素と同様であるため、同一部分には同一符号を付して説明を省略する。
【００３９】
（第２実施形態）
次に、上述した有害生物防除システム１の第２実施形態を説明する。図４は上述した有害生物防除システム１の第２実施形態における有害生物防除装置（薬剤揮散装置）の平面図、そして図５は図４におけるＶ−Ｖ矢視縦断面図である。図４および図５に示されるように、上述した有害生物防除装置３に該当する薬剤揮散装置３０は、薬剤保持機構１６として薬剤保持体３１と、薬剤拡散手段１７として送風器であるファン３２およびモーター３８と、駆動回路１８と、インタフェース１９と、を備えており、これら構成要素を例えば合成樹脂製の筐体３３に収納している。
【００４０】
薬剤保持体３１は殺虫成分等の有害生物防除成分を含む薬剤を保持するためのものであり、その有害生物防除成分はファン３２によって揮散させられる。薬剤保持体３１の例としては、ハニカム状、ネット状、マット状、芯状、粒状（複数の粒体の集合で通気性のあるものを含む）、蛇腹状、等の通気性部材や、ハニカム状、ネット状、マット状、芯状、粒状（複数の粒体の集合で通気性のないものを含む）、蛇腹状（蛇腹面上を風が通過するものを含む）、等の非通気性部材、等が挙げられる。また、これら通気性部材および非通気性部材には、例えば、薬液を保持させた非吸液式のものや、薬液が連続供給される吸液式のもの、等がある。薬剤保持体３１を形成する材質は、有効成分を十分に保持できるものであれば特に限定されず、紙類、合成樹脂類、セラミック、ガラス繊維、炭素繊維、化学繊維、天然繊維、不織布、編織布、等が例示できる。
【００４１】
薬剤保持体３１には、略半円形状のインジケータ部３１ａが一体的に設けられている。インジケータ部３１ａには、液晶表示装置、ＬＥＤ、等からなる表示手段３４が収納されており、図４に示されるように、透明なインジケータ部３１ａを透して外部から表示手段３４を目視することができる。薬剤保持体３１の使用時間に比例して変化する表示手段３４の形状、色、等の状態から有害生物防除成分の残量を確認でき、薬剤保持体３１の使用期限を知ることができるようになっている。液晶表示装置、ＬＥＤ、等の表示手段３４は、コンピュータ制御されて使用期限を表示するようになっているが、処理プログラムに従いコンピュータ２自体が使用期限を管理し且つ表示装置１４に表示するようにした場合は、薬剤揮散装置３０に表示手段３４を設ける必要はなく、薬剤揮散装置３０の構成を簡素化且つコンパクト化することができる。
【００４２】
図５に示されるように、ファン３２の中央部を回転軸先端に固定したモーター３８は、駆動回路１８に電気的に接続されている。駆動回路１８はコンピュータ２からの制御信号に基づいて電力を調整してモーター３８に供給する。モーター３８は駆動回路１８から電力供給を受けてファン３２を回転させ、このファン３２の回転による送風によって気流が薬剤保持体３１に当たり、薬剤保持体３１から有害生物防除成分が揮散される。
【００４３】
尚、筐体３３の上面には、ヒンジ３５によって開閉自在なように蓋体３６が設けられ、該蓋体３６を開放して薬剤保持体３１を筐体３３内の薬剤室３９にセットできるようになっている。蓋体３６には、複数のスリット状の揮散口３６ａが設けられている。また、筐体３３の裏面には、複数のスリット状の吸気口３３ａが形成されている。薬剤保持体３１を薬剤室３９内にセットすると、薬剤保持体３１は、吸気口３３ａと揮散口３６ａの間、且つファン３２の送風方向下流側に配置されるようになっている。
【００４４】
（第３実施形態）
次に、上述した有害生物防除システム１の第３実施形態を説明する。図６は上述した有害生物防除システム１の第３実施形態における有害生物防除装置（薬剤噴霧装置）の縦断面図である。図６に示されるように、上述した有害生物防除装置３に該当する薬剤噴霧装置（即ち、エアゾール噴霧装置）４０は、薬剤保持機構１６としてエアゾール容器４１と、薬剤拡散手段１７として噴霧器４２と、該噴霧器４２に電力を調整して供給する駆動回路１８と、インタフェース１９と、を備えており、これら構成要素を例えば合成樹脂製の筐体４３に収納している。
【００４５】
エアゾール容器４１内には、薬剤として殺虫成分等の有害生物防除成分を含む原液および噴射剤等のエアゾール液が収容されている。エアゾール容器４１上に配置された噴霧器４２は、コンピュータ２からの制御信号に基づいて電力を調整して供給する駆動回路１８およびインタフェース１９に電気的に接続されている。噴霧器４２は、エアゾール容器４１の上端部に設けられたバルブ（不図示）を調節して当該バルブ（不図示）からエアゾール容器４１内のエアゾール液を噴出させる電動バルブ調節機構（不図示）を備えている。この噴霧器４２の電動バルブ調節機構（不図示）は、コンピュータ２からの制御信号に基づいてバルブ（不図示）を調節し、エアゾール液を噴霧オリフィス４２ａから霧状にして噴霧する。電動バルブ調節機構としては、例えば電磁石を例示でき、コンピュータ２からの制御信号に基づいて電磁石のプランジャを作動させ、該プランジャによってエアゾール容器４１の上端部に設けられたバルブを押圧して、このバルブを開放するようになっている。これによって、エアゾール容器４１内のエアゾール液は噴霧オリフィス４２ａから霧状になって噴霧される。噴霧オリフィス４２ａから噴霧されたエアゾール液は、筐体４３の上面に形成された噴霧口４３ａから外部に放出される。尚、噴霧器４２の代わりに、ポンプ等の加圧機構を備えた電動スプレー装置を用い、コンピュータ２からの制御信号に基づき加圧機構を作動させてエアゾール容器４１内の圧力を高め、エアゾール液を噴霧オリフィス４２ａから霧状にして噴霧するようにしてもよい。上述した第１実施形態〜第３実施形態の他にも、超音波振動装置を用いて、コンピュータ２からの制御信号に基づいて超音波振動装置を振動させることによって有害生物防除成分を霧化して噴霧することも可能である。
【００４６】
次に、上記実施形態の作用を説明する。
【００４７】
使用者は、図１および図２に示されるように、有害生物防除装置３のインタフェース１９とコンピュータ２のインタフェース１５とを通信ケーブル４で接続する。そして使用者は、操作部１３を操作して任意の（換言すれば、使用者好みの）有害生物防除装置３の使用条件をコンピュータ２に入力する。有害生物防除装置３の使用条件としては、例えば、使用空間の広さ、使用空間の温度、使用空間の湿度、使用空間の密閉度、駆除対象害虫の量、駆除対象害虫の種類、急速駆除、等が挙げられ、これらはコンピュータ２の表示装置１４に数値やグラフ等で画像表示されて使用者が有害生物防除装置３の動作モードを変更し易いようになっている。有害生物防除装置３の使用場所を家庭、工場、飲食店、等、得意先別に分類するなどして、有害生物防除装置３の使用条件が予め想定可能な場合には、該使用条件が記憶された記憶媒体を準備しておき、得意先を集中管理することもできる。
【００４８】
コンピュータ２は、ＲＯＭに記録されている処理プログラムをＲＡＭに展開し、使用者によって操作部１３から入力された条件に基づき、該処理プログラムに従ってＣＰＵ１１で演算処理し、その処理結果をインタフェース１５から制御信号（指令信号）として出力して、通信ケーブル４を介して有害生物防除装置３へ送信する。
【００４９】
図３に示される加熱蒸散装置２０を有害生物防除システム１の有害生物防除装置３として用いた場合は、コンピュータ２から送信された制御信号をインタフェース１９が受信し、当該制御信号に基づいて駆動回路１８が電気ヒーター５５に所定の電力を供給する。そして電気ヒーター５５により吸液芯６１が使用条件に適した最適温度、最適時間で加熱され、最適量の薬剤が蒸散されて有効に作用する。また、電気ヒーター５５への通電開始時間、通電終了時間、通電繰り返し回数、等をコンピュータ２から指令して制御するようにして、有害生物防除装置３を防除に最適な条件で動作させることができる。このように、電気ヒーター５５に供給される電力や動作状態はコンピュータ２から送信された制御信号に従って駆動回路１８により調整される。
【００５０】
例えば、コンピュータ２から急速駆除を指令する制御信号が加熱蒸散装置２０に入力された場合、加熱蒸散装置２０は、動作開始後しばらくの間（例えば１時間）、通常の温度よりも高温で吸液芯６１を加熱して多量の薬剤を蒸散させ、そして所定時間経過時、吸液芯６１への加熱を停止するか若しくは通常の低い温度に戻して加熱して通常量の薬剤を蒸散する。これによって、短時間で有害生物防除効果を上げることができる。
【００５１】
加熱蒸散装置２０はコンピュータ２からの制御信号によって多様な動作モードで動作させることができるので、使用条件毎に分類した複数種類の加熱蒸散装置２０を準備する必要がなく、一種類とすることができる。
【００５２】
また、図４および図５に示される薬剤揮散装置３０を有害生物防除システム１の有害生物防除装置３として用いた場合は、コンピュータ２から送信された制御信号をインタフェース１９が受信し、当該制御信号に基づいて駆動回路１８がモーター３８に所定の電力を供給してファン３２を回転させる。そしてファン３２の回転により生起させた気流を薬剤保持体３１に当てて、薬剤保持体３１に保持された薬剤を揮散させる。このように、モーター３８に供給される電力はコンピュータ２から送信された制御信号に従って駆動回路１８により調整される。従って、気流の風速や風量を決めるファン３２の回転数をモーター３８への供給電力を調節することによって薬剤の揮散量を変化させることができるので、コンピュータ２から例えば急速駆除を指令する制御信号が薬剤揮散装置３０に入力された場合には、短時間で有害生物防除効果を上げることができる。
【００５３】
加熱蒸散装置２０と同様に、薬剤揮散装置３０はコンピュータ２からの制御信号によって多様な動作モードで動作させることができるので、使用条件毎に分類した複数種類の薬剤揮散装置３０を準備する必要がなく、一種類とすることができる。
【００５４】
また、図６に示される薬剤噴霧装置４０を有害生物防除システム１の有害生物防除装置３として用いた場合は、コンピュータ２から送信された制御信号をインタフェース１９が受信し、当該制御信号に基づいて駆動回路１８が噴霧器４２に所定の電力を供給して、電磁石等の電動バルブ調節機構によってバルブを開き、エアゾール容器４１内に収容されているエアゾール液を噴霧オリフィス４２ａから噴霧させる。このように、噴霧器４２に供給される電力はコンピュータ２から送信された制御信号に従って駆動回路１８により調整される。従って、コンピュータ２から例えば急速駆除を指令する制御信号が薬剤噴霧装置４０に入力された場合には、短時間で有害生物防除効果を上げることができる。
【００５５】
加熱蒸散装置２０ならびに薬剤揮散装置３０と同様に、薬剤噴霧装置４０はコンピュータ２からの制御信号によって多様な動作モードで動作させることができるので、使用条件毎に分類した複数種類の薬剤噴霧装置４０を準備する必要がなく、一種類とすることができる。
【００５６】
尚、上述した各実施形態において、有害生物防除装置３の動作モードは、上述した動作モードに限定されるものではなく、コンピュータ２の記憶装置１２に記憶させた処理プログラムを変更することにより、容易に変更可能であることは言うまでもない。
【００５７】
また、インタフェースとしてＵＳＢインタフェース等を用いた場合は、有害生物防除装置３が必要とする電力を通信ケーブル４によってコンピュータ２から供給することができ、電源ケーブルを有害生物防除装置３に接続する必要がないので、より使い勝手のよい有害生物防除システム１とすることができる。
【００５８】
尚、本発明は、前述した各実施形態に限定されるものではなく、適宜、変形、改良、等が可能である。その他、前述した各実施形態における各構成要素の材質、形状、寸法、形態、数、配置箇所、等は本発明を達成できるものであれば任意であり、限定されない。
【００５９】
例えば、前述した実施形態では、有害生物防除に有効な薬剤（有害生物防除成分、例えば、防虫剤、忌避剤、殺虫剤、殺菌剤、等）を拡散するようにしたが、本発明はこれに限定されず、当該有害生物防除に有効な薬剤と、例えば、芳香剤、消臭剤、等の薬剤を一緒に拡散するようにしてもよい。
【００６０】
【発明の効果】
以上、説明したように、本発明によれば、薬剤を拡散させる有害生物防除装置が、通信ケーブルによってコンピュータと接続され、該コンピュータからの指令信号に従って動作するように構成されているので、使用者は有害生物防除装置の使用条件をコンピュータの操作部を操作することにより任意に設定することができる。即ち、この有害生物防除システムでは、単一の有害生物防除装置を使用者が要望する使用条件に合致させて使用できる。従って、使用者は、有害生物防除装置の動作時間、有害生物防除装置の動作・休止サイクル、薬剤成分の拡散量、等を自由に設定できるので、使用者の要望通りに一種の有害生物防除装置にて薬剤を拡散させることができる。
【００６１】
また、本発明によれば、有害生物防除装置が、薬剤拡散手段と、当該薬剤拡散手段を駆動する駆動回路と、通信ケーブルの他端に接続されるインタフェースと、を備え、当該インタフェースを介してコンピュータから指令信号を受けて駆動回路が薬剤拡散手段を駆動し、それにより薬剤を拡散させるように構成されているので、有害生物防除装置を必要最小限の部品から構成した簡単な構造にすることができ、有害生物防除装置を安価に製作することができる。従って、万一、有害生物防除装置が故障する等して交換を要する場合にも、使用者の負担を軽減させることができる。また、簡単な機構の有害生物防除装置を、多様な動作モードで動作させ、有効に薬剤を拡散させることができる。
【００６２】
また、本発明によれば、薬剤拡散手段が薬剤を加熱して蒸散させる加熱器である場合は、使用者の要望通りに一種の有害生物防除装置だけでも薬剤を蒸散させることができる。
【００６３】
また、本発明によれば、薬剤拡散手段が薬剤に気流を当てて揮散させる送風器である場合は、使用者の要望通りに一種の有害生物防除装置だけでも薬剤を揮散させることができる。
【００６４】
また、本発明によれば、薬剤拡散手段が薬剤を霧状にして噴霧する噴霧器である場合は、使用者の要望通りに一種の有害生物防除装置だけでも薬剤を噴霧させることができる。
【図面の簡単な説明】
【図１】本発明に係る有害生物防除システムの実施形態の概略構成図である。
【図２】図１に示される有害生物防除システムにおけるコンピュータおよび有害生物防除装置の構成を示すシステムブロック図である。
【図３】本発明に係る有害生物防除システムの第１実施形態における有害生物防除装置（加熱蒸散装置）の縦断面図である。
【図４】本発明に係る有害生物防除システムの第２実施形態における有害生物防除装置（薬剤揮散装置）の平面図である。
【図５】図４におけるＶ−Ｖ矢視縦断面図である。
【図６】本発明に係る有害生物防除システムの第３実施形態における有害生物防除装置（薬剤噴霧装置）の縦断面図である。
【図７】特許文献１に開示された従来の加熱蒸散装置の縦断面図である。
【符号の説明】
１：  有害生物防除システム
２：  コンピュータ
３：  有害生物防除装置
４：  通信ケーブル
１１：ＣＰＵ（演算処理装置）
１２：記憶装置
１３：操作部
１５：インタフェース
１６：薬剤保持機構
１７：薬剤拡散手段
１８：駆動回路
１９：インタフェース
３２：ファン（送風器；薬剤拡散手段）
３８：モーター（送風器；薬剤拡散手段）
４２：噴霧器（薬剤拡散手段）
５５：電気ヒーター（加熱器；薬剤拡散手段）
【図１】
2004344045.tif 000003
【図２】
2004344045.tif 000004
【図３】
2004344045.tif 000005
【図４】
2004344045.tif 000006
【図５】
2004344045.tif 000007
【図６】
2004344045.tif 000008
【図７】
2004344045.tif 000009